(57)【特許請求の範囲】
【請求項１】
ばね付勢された移動可能なピストン（６）を用いて対をなす第１の要素（３）と第２の要素（４）とを着脱自在に連結する連結器具（２）を備えた連結装置（１）であって、
前記ピストン（６）が、その末端部（９）が連結部のスリーブ（８）の内部空間（７）内に受容され、ロックねじ（１０）によって連結器具（２）内に拘束され得ることを特徴とし、
前記ロックねじ（１０）は、前記スリーブの壁に設けられたねじ受容部（１７）を通して延在し、前記ピストン（６）の傾斜拮抗面（１１）と係合し得る、前記傾斜拮抗面の形状に適合した形状の末端を有し、
前記スリーブの前記内部空間（７）から前記スリーブの外部に延出し、さらに前記第１の要素（３）の内部空間（１３）から前記第１の要素（３）の外部に延出した前記ピストン（６）の末端部（１４）に、前記ピストンから径方向に延出した握り部（１２）が設けられることを特徴とし、
前記スリーブ（８）における前記ピストンが延出する開口を有する末端部（１９）に設けられた止め部（１５）が、前記ピストンに設けられた段部の止め面（１８）と当接するように設けられ、これによって前記スリーブの前記内部空間（７）からの前記ピストンの突出を制限していることを特徴とし、
前記ねじ受容部（１７）を通して延在する前記ロックねじ（１０）の中心から前記止め部（１５）までの距離（Ａ）が、前記ピストン（６）が押し込まれて、前スリーブ（８）の開口を有する前記末端部（１９）と前記第１の要素の内側面が当接し、かつ前記ピストン（６）の握り部（１２）が前記第２の要素（４）の内側面に当接しているときの前記傾斜拮抗面（１１）の中心から前記止め部（１５）までの距離と一致することを特徴とする連結装置。
【請求項２】
前記止め部（１５）が、前記連結器具の前記スリーブ（８）内で回動する舌状部であることを特徴とする請求項１に記載の連結装置
【請求項３】
前記舌状部の自由に回転する末端部（１９）に、前記スリーブの中心軸線（２０）向かって内向きに厚みを増している止め部分（２１）が存在していることを特徴とする請求項２に記載の連結装置。
【請求項４】
前記止め部分（２１）が、前記ピストンが止められた位置において、前記ピストン（６）のくびれ部（２２）内に受容され得るように設けられることを特徴とする請求項３に記載の連結装置。
【請求項５】
前記スリーブ（８）がプラスチック製であることを特徴とする請求項２乃至４の何れかに記載の連結装置。
【請求項６】
前記ピストンが、第１のピストン（６）及び第２のピストン（６′）の何れか一方であり、前記第１のピストンの握り部（１２）は、前記ピストンの長手方向に対して垂直かつ前記傾斜拮抗面に係合しているときの前記ロックねじの中心線に垂直な向きに延在し、前記第２のピストンの握り部（１２′）は、前記ピストンの長手方向に対して垂直かつ前記傾斜拮抗面に係合しているときの前記ロックねじの中心線に平行な向きに延在することを特徴とし、
前記第２の要素（４）に入口開口部（２３）が設けられ、前記入口開口部（２３）は、前記ピストン（６，６′）の前記握り部（１２，１２′）に対応した形状を有し、連結時には、前記ピストン（６，６′）の前記握り部（１２，１２′）を前記入口開口部（２３）から前記第２の要素の内部に挿入した上で、前記握り部（１２，１２′）が前記第２の要素（４）の内側面に当接するように前記第２の要素（４）を前記第１の要素に対して回転することによって前記第１の要素（３）と前記第２の要素（４）とが連結されることを特徴とする請求項１乃至５の何れかに記載の連結装置。
【請求項７】
前記ピストン（６）が前記スリーブ（８）の前記内部空間（７）に受容され、前記内部空間（７）の底部（２４）にはばね（５）が設けられて、前記ばね（５）がスリーブ末端壁（２５）と前記ピストンの前記末端部（９）との間で作用することを特徴とする請求項１乃至６の何れかに記載の連結装置。
【請求項８】
前記ロックねじ（１０）が、前記スリーブ（８）内の前記ねじ受容部（１７）にねじ込まれ得ることを特徴とし、
前記ねじ受容部（１７）が、ねじ山（２６）を切られたねじ受容孔（２７）を横切って延在する溝（２８）を備えていることを特徴とする請求項１乃至７の何れかに記載の連結装置。
【請求項９】
前記ねじ受容部（１７）と、それを受容する前記スリーブ（８）内の凹部（２９）とが合同な形状を示していることを特徴とする請求項８に記載の連結装置。
【請求項１０】
前記ねじ受容部（１７）及びそれを受容する前記スリーブ（８）内の前記凹部（２９）の前記ねじ受容孔（２７）の中心線に対して垂直な平面で切った断面形状が、ともに矩形であることを特徴とする請求項９に記載の連結装置。
【発明の詳細な説明】
本発明は、ばねの力により動かされ得る移動可能なピストンを用いて対になった要素同士を着脱自在に連結する連結器具を備えた連結装置に関する。この連結装置において、ピストンは、その末端部が連結部のスリーブの内部空間内に受容され、ロックねじによって連結ピストン内に拘束され得る。ロックねじは、ピストンの傾斜拮抗面、及び第１の前記要素の内部空間から外に向いたピストンの連結側末端部に存在し、スリーブの内部空間７の開口から延出する握り部と相互作用し得る。止め部は、前記スリーブと前記ピストンとの間に存在して前記第１の要素の内部空間からのピストンの突出を制限している。
本発明の主な目的は、組み立て式で、かつ、使用時にその構成要素間で緩みが生ずる危険のない連結器具を提供することである。
前記目的は、本発明に基づく連結装置によって達成される。この連結装置は、止め部が、前記スリーブと前記ピストンとの間に存在して前記スリーブの前記内部空間からの前記ピストンの突出を制限していることを特徴とし、また、前記止め部が、前記連結器具の前記スリーブにおける前記ロックねじを受容するねじ受容部から前記止め部までの距離が、前記ピストン内の前記止め部と当接し、前記握り部と相互作用する止め面と前記傾斜拮抗面との間の距離と一致するように設けられることを特徴とする。
以下本発明について、次の図面を参照しつつ説明する。
第１図は、連結準備状態の連結装置の、下部から見た平面図である。
第１Ａ図及び第１Ｂ図は、連結装置の端面図である。
第２図は、連結準備状態の連結装置の、側部から見た平面図である。
第３図は、第２図の線ＩＩＩ−ＩＩＩで切った断面図である。
第４図は、第２図の線ＩＶ−ＩＶで切った断面図である。
第５図は、連結準備状態の連結装置の、上部から見た平面図である。
第６図は、第５図の線ＶＩ−ＶＩで切った断面図である。
第７図は、連結状態の連結装置の断面図である。
第８図〜第８Ｃ図は、ピストンの第１実施例を示した図である。
第９図は、ピストンの第２実施例を示した図である。
第１０図は、ねじ受容部の斜視図である。
ばねの力により動かされ得る移動可能なピストン６を用いて対になった、建築材料等の要素３，４同士を着脱自在に連結する連結器具２を備えた連結装置であって、前記ピストンが、その末端部９が連結部のスリーブ８の内部空間７内に受容され、ロックねじ１０によって連結ピストン（Ｋ）内に拘束され得ることを特徴とし、前記ロックねじ１０が、前記ピストン６の傾斜拮抗面１１、及び第１の前記要素の内部空間１３から外に向いた前記ピストンの連結側末端部１４に存在し、前記スリーブの前記内部空間７の開口から延出する握り部１２と相互作用し得ることを特徴とする連結装置が、止め部１５を有する。更に詳述すると、止め部１５は、前記スリーブ８と前記ピストン６との間に存在して、装着状態の結合器具とともに、前記ピストン６が、前記スリーブの前記内部空間７から符号１６で示す方向に突出することを制限している。また、前記止め部１５は、ねじ受容部１７を通して延在するロックねじ１０の中心から前記止め部までの距離（Ａ）が、ピストン６が押し込まれてスリーブの末端部１９と第１の要素３の内側面が当接し、かつピストン６の握り部１２が第２の要素４の内側面に当接しているときの前記傾斜拮抗面１１の中心から止め部１５までの距離と一致するように設けられる。
止め部１５は、好ましくは結合器具のスリーブ８内で回動する舌状部の形態で設けられる。
舌状部１５の自由に回転する末端部１９には、スリーブの中心軸線２０に向かって内向きに厚みを増している止め部分２１が存在している。
前記止め部分２１は、ピストンが止められた位置において、ピストン６のくびれ部２２または他の凹部に受容されるように設けられるのが好ましい。
連結器具２の製造を簡単にし、舌状部１５におけるばね効果を得るために、スリーブ８にはプラスチック製のものが用いられる。
要素３と４とが所望の角度をなす両要素の所望の連結状態を得るために、対になったピストン６及び６′が存在し、それぞれに対応する握り部１２及び１２′が互いに一定の角度（例えば直角）をなすように配置される。両握り部は、一方の要素４における入口開口部２３にぴったりと嵌入する。
ピストン６は、スリーブ８内部の、スリーブの中心軸線２０に沿って延在する内部空間７に概ね受容されるが、内部空間７の底部２４にはばね５が設けられ、ばね５はスリーブ末端壁２５とピストンの末端部９との間で作用する。
スリーブ８とピストン６との間で作用する前述のロックねじ１０は、スリーブ８内の取り外し可能なねじ受容部１７にねじ込まれ得る。ねじ受容部１７は、ねじ山２６を切られたねじ受容孔２７を横切って延在する溝２８を備えている。
前述のねじ受容部１７と、内部空間７に対して直交なスリーブ８を横断する方向に延びており、ねじ受容部１７を受容する凹部２９とは、合同な形状を示している。連結器具２の取り付けを簡便にし、かつ信頼性をもって連結をなすようにするために、前述のねじ受容部１７及び凹部２９の前記ねじ受容孔（２７）の中心線に対して垂直な平面で切った断面形状は、好ましくは矩形である。
止め部１５は、連結器具２が組み立てられ取り付けられた後に分解しないように、ピストン６をスリーブ８内に保持する。
他の点では、連結器具２は、従来より周知の類似した形態の連結器具と同様に機能する。このような従来の連結器具の例を挙げると、スウェーデン王国特許Ｂ第４６５，２７９号及び第４５７，４５４号の連結器具がある。即ち、ロックねじ１０が、ねじに設けられた六角形の受け口３０にぴったりとはまるアレンキー（Allen key）を用いて、要素３のそれを横切る開口３１を貫通するようにねじ込まれて、ねじ１０の円錐形の先端部の斜面３２が傾斜拮抗面１１に押しつけられる。これにより、ピストン６がスリーブの底部に向けて矢印３３の方向に移動するとともに、握り部１２が第２の要素４の入口開口部２３を備えた壁３４に押しつけられて、連結器具２が要素３に内部に隠れる形で要素３及び４をクランプ留めする。
本発明は実施態様は、以上説明してきた図面に記載の実施例に限定されず、請求の範囲に記載の本発明の範囲及び精神を逸脱することなく他の変更を加えることができる。
【図１】
0003706389.tif 000002
【図１Ａ】
0003706389.tif 000003
【図１Ｂ】
0003706389.tif 000004
【図２】
0003706389.tif 000005
【図３】
0003706389.tif 000006
【図４】
0003706389.tif 000007
【図５】
0003706389.tif 000008
【図６】
0003706389.tif 000009
【図７】
0003706389.tif 000010
【図８】
0003706389.tif 000011
【図８Ａ】
0003706389.tif 000012
【図８Ｂ】
0003706389.tif 000013
【図８Ｃ】
0003706389.tif 000014
【図９】
0003706389.tif 000015
【図１０】
0003706389.tif 000016